(57)【要約】【課題】  冷凍品や液体等が染み出るおそれのある物品を搬送中、冷凍が解けたり、脂血、果汁等の液体が染み出した場合でも鮮度の低下や不衛生な状態を避け、また、段積する場合に、搭載物を痛めたり、酸素不足などの不具合を招かないようにする。【解決手段】  樹脂製容器本体１の底部２に複数の水抜き穴６を貫通穴として設けるとともに、中央の一箇所の水抜き穴６が一番低位となるよう、底部２上面全域に傾斜面を形成し、この傾斜面として、底部２の肉厚を変化させることで形成する。また、底部２下面に段積用の複数の脚５を設け、前記水抜き穴６を脚５に形成する。また、底部２上面に各種アタッチメント８、９を取り換えて装着できるようにする。【選択図】      図１
2005289414.tif 000002
【特許請求の範囲】
【請求項１】
冷凍品または液体等が染み出るおそれのある物品を収容し運搬する樹脂製の容器であって、容器本体の底部の所定個所には、水抜き穴が設けられるとともに、該底部の上面全域には、水抜き穴に向けて低位となる傾斜面が形成され、この傾斜面は、底部の肉厚を、水抜き穴に向けて徐々に薄肉にすることで構成されることを特徴とする容器。
【請求項２】
前記底部の上面には、アタッチメントを装着するための装着手段が形成され、また、底部の下面には、段積用の脚が一体的に設けられることを特徴とする請求項１に記載の容器。
【請求項３】
前記装着手段には、形態の異なる複数のアタッチメントが取り換え可能にされることを特徴とする請求項２に記載の容器。
【請求項４】
前記水抜き穴は、前記段積用の脚に設けられ、またこの水抜き穴の内面には、下方に向けて穴径が狭まる方向に傾斜が設けられることを特徴とする請求項２又は請求項３に記載の容器。
【請求項５】
前記容器の底部上面やアタッチメントの面やその周囲のコーナ部にはアールが形成されることを特徴とする請求項１乃至請求項４のいずれか１項に記載の容器。
【発明の詳細な説明】
【技術分野】
【０００１】
本発明は、例えば冷凍品や液体等の染み出るおそれのある物品を収容、搬送するのに好適な容器に関する。
【背景技術】
【０００２】
従来、魚を収容、運搬する容器として、木製あるいは金属製の部品をネジ等で組み付ける方法が知られているが、このような容器は、繰り返して使用するとネジ等が弛んだり、組付けが外れたりするような不具合があるため、その他の材料を使用した容器も用いられるようになっており、その一例として、例えば発泡樹脂製の魚箱の向かい合った一方側の側壁上部に、内方に向けて張出す張出し部を設けるとともに、その側壁と底部の境界部に傾斜面部を設け、移送時等に箱から魚が飛び出すのを防止するとともに、魚の頭を傾斜面部に載せることにより、鮮度低下の印象を与える目の充血を避けるようにした技術（例えば、特許文献１参照。）や、耐水性段ボールからなる直方体形状の箱体の対向する短辺の側壁内部の一部または全部を傾斜部とし、底部に冷凍ムラ防止と水抜きを兼ねた孔を穿設した技術（例えば、特許文献２参照。）なども知られている。
【０００３】
【特許文献１】実開平７−１３７８５号公報
【特許文献２】実用新案登録第３０６１３３６号公報
【発明の開示】
【発明が解決しようとする課題】
【０００４】
ところが、従来の容器の場合、例えば秋刀魚のように血抜きしないで冷凍搬送するものは、搬送途中に冷凍が解けたり、魚の脂血が染み出す場合があり、このような場合には、魚と水、脂血などが接触して鮮度の低下に繋がったり、不衛生になる等の問題があった。
また、輸送の効率化等のために容器を段積できるようにすれば便利であるが、この場合にも搭載物を痛めたり、酸素不足等によって鮮度を低下させたりしないようにすることが好ましかった。
【０００５】
そこで本発明は、例えば冷凍品や海産物や農産物や畜産物等を搬送途中に、冷凍が解けたり、脂血、果汁等の液体が染み出した場合でも鮮度の低下や不衛生な状態を避けることができるようにし、また、輸送効率を高めるため、段積した場合でも、搭載物を痛めたりしないようにすることを目的とする。
【課題を解決するための手段】
【０００６】
上記目的を達成するため本発明は、冷凍品または液体等が染み出るおそれのある物品を収容し運搬する樹脂製の容器において、容器本体の底部の所定個所に水抜き穴を設けるとともに、該底部の上面全域に、水抜き穴に向けて低位となる傾斜面を形成し、この傾斜面として、底部の肉厚を、水抜き穴に向けて徐々に薄肉にすることで構成するようにした。
【０００７】
ここで、冷凍品または液体等が染み出るおそれのある物品としては、例えば、魚等の海産物やその冷凍品、または野菜や果物等の農産物やその冷凍品、肉や卵等の畜産物やその冷凍品等であり、底部の上面全域に傾斜面を設け、水抜き穴を低位に設定することで、水等の液体が容器内に溜まることなく、搭載物の鮮度低下や不衛生な状態を避けることができ、また、容器洗浄後の乾燥も速まるようになる。
そして、この傾斜面として、水抜き穴に向けて底面部の肉厚を徐々に薄肉にすることで構成することにより、容器の軽量化を図ると同時に、厚肉部によって容器の強度を保持できるようにする。
【０００８】
ここで、水抜き穴としては、例えば容器底部に一箇所設けても良く複数個所設けても良いが、複数個所に設ける場合には、一箇所の水抜き穴だけが一番低位となるような傾斜面にするか、または、すべての水抜き穴が低位となるような局部的な傾斜面になるようにし、いずれの場合も底部上面全域に設けることで、水や液体が溜まりにくいようにする。
【０００９】
また本発明では、底部の上面に、アタッチメントを装着するための装着手段を形成し、また、底部の下面には、段積用の脚を一体的に設けるようにした。
そして、容器内に搭載物を搭載するときは、搭載物を保持するのに適した形態のアタッチメントを装着するようにし、このアタッチメント上に搭載物を搭載する等によって、搭載物を安定した状態で保持し、損傷等の発生を防止する。また、段積用の脚を設けることで、段積する際に、上段の容器が下段の容器に搭載した搭載物に直接触れたり傷付けたりするような不具合を防止することができる。
また、アタッチメントや脚は、どちらも搭載物の周囲に適当な空間部を形成するのに有効であり、例えば酸素不足等を嫌う搭載物への悪影響を避けることが出来るようになる。
【００１０】
また本発明では、前記装着手段に、形態の異なる複数のアタッチメントを取り換え可能にした。
そして、搭載物の形状等に合わせて適切な形態のアタッチメントを装着することで、搬送中の搭載物の安定化を図ったり、搭載物の保護を図ったりすることができる。
【００１１】
また本発明では、前記水抜き穴を、段積用の脚に設けるようにし、またこの水抜き穴の内面には、下方に向けて穴径が狭まる方向に傾斜を設けるようにした。
このように、水抜き穴を段積用の脚に設け、この脚を通して水抜きをするようにすれば、上段の容器から排出される水等が下段の容器の段積用の脚を通して排出されるようになり、下段の搭載物が水等に触れて、鮮度低下や不衛生な状態になるのを抑制することができる。
また、水抜き穴の内面に、下方に向けて穴径が狭まる方向に傾斜を設ければ、水等が円滑に流れるようになり、また、水等が溜まりにくくなる。
【００１２】
また本発明では、前記容器の底部上面やアタッチメント上面やその周囲のコーナ部にアールを形成するようにした。
このように搭載物を搭載する個所にアールを形成すれば、搭載物を搭載中、または搭載して搬送中、搭載物に傷を与えにくくなる。
【発明の効果】
【００１３】
冷凍品または液体等が染み出るおそれのある物品を収容し運搬するための樹脂製の容器において、容器本体の底部の所定個所に水抜き穴を設ける一方、底部の肉厚を変化させることで、底部の上面全域に、水抜き穴に向けて低位となる傾斜面を形成することで、水や液体等が容器内に溜まることなく、冷凍品や海産物等の鮮度の低下や不衛生な状態を避けることができる。また、容器の軽量化や、容器の強度保持も可能となる。
そして、底部の上面に、アタッチメントを装着するための装着手段を形成し、底部の下面に、段積用の脚を一体的に設ければ、物品を適切に保護出来るようになり、また、搭載物の周囲に適切な空間部を形成することもできる。
この際、装着手段に、形態の異なる複数のアタッチメントを取り換えて装着可能にすれば、搭載物の確実な保持、保護が図られ、また、水抜き穴を、段積用の脚に設ければ、水等が搭載物に触れることが抑制され、鮮度の低下や不衛生な状態を避けることができる。
また、容器の底部上面やアタッチメント上面やその周囲のコーナ部にアールを形成すれば、搭載物を搭載中、または搭載して搬送中、搭載物の一層の保護が図られる。
【発明を実施するための最良の形態】
【００１４】
本発明の実施の形態について添付した図面に基づき説明する。
ここで図１は本発明に係る容器本体の斜視図、図２は図１のＡ−Ａ線断面図、図３は脚の断面図、図４は容器本体を裏側から見た斜視図、図５は段積状態の説明図、図６は側壁の上端部にフランジ部を設ける例の説明図、図７はアタッチメントを取り付けた一例の説明図、図８は同アタッチメントの説明図、図９はアタッチメントの別構成例の説明図、図１０は底部の別構成例図である。
【００１５】
本発明に係る容器は、例えば海産物や農産物や畜産物やその冷凍品等を搬送途中に、脂血、果汁等の液体が染み出したり、氷が解けたりした場合でも鮮度の低下や不衛生な状態がなく、また、段積した場合でも、搭載物を痛めたり、酸素不足などの不具合を招かないようにされており、容器の底部に水抜き穴を設け、底部上面全域に傾斜面を設けて水抜き穴を低位に設定するとともに、この傾斜面を形成するにあたり、底部の肉厚を変化させることを特徴としている。
【００１６】
そしてこの容器は、本実施例では、例えば−４０〜８０℃の温度環境でも特性が劣化することなく通常に使用することができ、また大型の容器の場合でも変形の原因となる内部応力が発生しないで成形することのできるジシクロペンタジエンを用いたＲＩＭ成形で成形されており、図１乃至図４に示すように、容器本体１は、正方形状の底部２の四辺に側壁３が立ち上がって形成されるとともに、この側壁３の一方側の対向面の両端部に、フック掛け部４が外側に張出して設けられるとともに、底部２の下面に複数（９個）の脚５が一体的に設けられている。
【００１７】
前記底部２のうち、脚５が設けられている箇所には、上下に貫通する水抜き穴６が設けられ、また、図２に示すように、底部２の肉厚は、側壁３が立ち上がる周縁部分が一番厚肉で、そこから中央部に向けて徐々に薄肉とされ、中央部の水抜き穴６の上面が一番低位となるよう、底部２の上面が中央下がりの傾斜面（底部２下面は水平面）として構成されている。
そして、この傾斜面によって、搭載物から発生した水や液体が溜まりにくくなると同時に、周縁の厚肉部分により、容器１の剛性や強度が確保され、また、中央の薄肉部分によって、軽量化も図られている。
また、底部２下面は水平面であるため、例えばフォークリフトの爪などを安定した状態で保持することが出来る。そのうえ、脚５を複数設けることにより、フォークリフトの爪などが外れにくくなり、より一層安定した状態で運搬することができる。
【００１８】
また、底部２には、装着手段としての複数のスリット溝７が上下に貫通して設けられ、このスリット溝７に、後述するアタッチメント８の嵌合部８ｋを差込むことができるようにされている。
【００１９】
前記脚５に形成される水抜き穴６は、図３に示すように、上縁部ｅにアールが形成されるとともに、水抜き穴６の内面は、上部側の内径ａに対して下部側の内径ｂが徐々に小さくなるように傾斜し、更に、下端側の開口部内周縁ｆにも内側下がりの傾斜が与えられている。このため、搭載物から発生した水や液体等が円滑に流れ出し、また、上縁部ｅのアールは、搭載物に傷等が発生するのを抑制する効果も発揮する。
【００２０】
また、この脚５は、他の容器本体１と段積する際、図５に示すように、下段の容器１の水抜き穴６に嵌合し得るようにされ、この際、スムーズに嵌合するとともに、下段の容器本体１に損傷等を与えるのを防止するため、脚５の下端外周縁部ｇ（図３）にもアールが形成されている。
因みに、下端外周縁部ｇのアールは、例えば容器１の一辺側を地面につけたまま引き摺りながら運ぶ際に、抵抗を少なくして小さな力で運ぶのにも有効である。
なお、容器本体１の防振性を高めるため、脚５の下端部にゴム状の防振具を取り付けるようにしても良く、また、運搬性を良くするため、キャスターを取り付けるようにしても良い。
また、前記フック掛け部４は、上記のような態様で運搬する等に引掛け具を掛けて引き摺るのが便利なように、中心部に穴が形成されている。
【００２１】
そして、複数の容器１を段積する場合、図５に示すように、上段の容器本体１の複数の脚５を、下段の容器１のそれぞれの水抜き穴６に嵌合させると、ズレが防止され、安定した状態で段積される。そして、上段の容器本体１の水抜き穴６から排出される水等は、その下段の容器本体１の水抜き穴６を通して、更に下段の容器本体１の水抜き穴６というように排水され、上段の容器本体１から流れ出た水等が下段の容器本体１内に搭載される搭載物に直接触れるような不具合が抑制され、しかも、例えば底部２の肉厚に変化をつける際、図５に示すように、上段の容器本体１の中央部の脚５と、下段の容器本体１の中央部の水抜き穴６との間に隙間ｘが生じるようにしておけば、下段の容器本体１内に溜まる水や液体等が、その下段の容器本体１の中央の水抜き穴６を通して排出できるようになる。
また、容器本体１を段積した場合に、脚５の存在によって、脚５がない場合より搭載物の周囲にある程度の空間部ができるようになり、酸素不足を嫌うような物品を収容するのに好適である。
なお、本実施例における容器１のサイズは、縦・横１０００×１０００ｍｍ、側壁３の高さ１００ｍｍ、脚の高さ１００ｍｍ、底部２の厚みは周縁部で１５ｍｍ、中心部で７ｍｍ、水抜き穴６の径は上部で８０ｍｍ、下部で４０ｍｍである。
【００２２】
ところで、前記側壁３の上端部にアールを形成すると同時に、剛性を持たせるため、例えば、図６に示すように、側壁３の上端部に外側に張出すフランジ部３ｆを形成しても良い。このようにフランジ部３ｆを形成することで、例えば搭載物を側壁３上端に接触させながら出し入れしても搭載物に傷等を与えにくくなり、また、側壁３の強度を高めることができる。
【００２３】
次にアタッチメント８について説明する。
前述のように、アタッチメント８は、底部２のスリット溝７に対して着脱自在にされており、その形態の一例は、図７、図８の通りである。
このアタッチメント８は、表面側に凹条と凸条を交互に備えるとともに、特に上面側には全般的にアールが形成され、側面部８ａ、８ｂの下端に突設される嵌合部８ｋをスリット溝７に差込み可能にされるとともに、横向きでも縦向きでもどちらでも装着できるようにされている。
【００２４】
また、一方側の側面部８ａと他方側の側面部８ｂとは長さが異なっており、例えば長さの長い側面部８ａを外側にし、長さの短い側面部８ｂを内側に配置することで、アタッチメント８上の水や液体を、内側に向けて流れやすくなるようにし、中心の水抜き穴６を有効に活用して排水できるようにしている。
なお、このアタッチメント８は、厚み５ｍｍ程度の同一厚みの樹脂素材から殻状に成形することで軽量化を図っている。
ちなみに、このようなアタッチメント８は、例えば細長い魚や、小魚やその冷凍物等を凹条内に並べて収容すれば便利であるが、収容の具体的方法は任意である。
【００２５】
次に、図９は別のアタッチメント９の構成例図である。
この構成例では、凹凸の幅を広くし、大きな魚や大きな冷凍品でも安定して保持できるようにしたものでありこの場合も、スリット溝７に対して差込み自在な嵌合部（不図示）を備えており、また、内側に向けて傾斜を設けるようにしている。この場合も、物品の具体的収容方法等は任意である。
また、以上のようなアタッチメント８、９は、本実施例では、容器本体１と同様、ジシクロペンタジエンを用いたＲＩＭ成形で成形するようにしている。
【００２６】
なお、本発明は以上のような実施形態に限定されるものではない。本発明の特許請求の範囲に記載した事項と実質的に同一の構成を有し、同一の作用効果を奏するものは本発明の技術的範囲に属する。例えば、アタッチメント８、９の形態等は一例である。
また、底部２上面の傾斜面は、中央の一箇所の水抜き穴６が一番低位となる傾斜面にするのでなく、図１０に示すように、すべての水抜き穴６に向けて周辺の底部２上面が局部的に下がるような傾斜面にしても良い。
また、水抜き穴６の数や位置等も任意である。
更に、複数の容器を段積する際、上段の容器の脚５が下段の容器の水抜き穴６に嵌合するものであるが、積載物が重い場合などには、水抜き穴６の内面上部に、段差等のストッパ部を形成し、脚５の嵌入量を規制するようにしても良い。
【産業上の利用可能性】
【００２７】
冷凍品または液体等が染み出るおそれのある物品を収容し運搬する際、水等が水抜き穴からスムーズに流れ出るため、搭載物の鮮度低下や不衛生な状態を避けることができる。また、段積するための脚に水抜き穴を設ければ、上段の容器から排出される水等が下段の搭載物に触れたりするような不具合を防止出来る。
また、取り換え可能なアタッチメントを装着自在にすることで、搭載物を安定した状態で保持できるようになる。
【図面の簡単な説明】
【００２８】
【図１】本発明に係る容器本体の斜視図
【図２】図１のＡ−Ａ線断面図
【図３】脚の断面図
【図４】容器本体を裏側から見た斜視図
【図５】段積状態の説明図
【図６】側壁の上端部にフランジ部を設ける例の説明図
【図７】アタッチメントを取り付けた一例の説明図
【図８】同アタッチメントの説明図
【図９】アタッチメントの別構成例の説明図
【図１０】底部の別構成例図
【符号の説明】
【００２９】
１…容器本体、２…底部、３…側壁、５…脚、６…水抜き穴、７…スリット溝、８…アタッチメント、８ｋ…嵌合部、９…アタッチメント。
【図１】
2005289414.tif 000003
【図２】
2005289414.tif 000004
【図３】
2005289414.tif 000005
【図４】
2005289414.tif 000006
【図５】
2005289414.tif 000007
【図６】
2005289414.tif 000008
【図７】
2005289414.tif 000009
【図８】
2005289414.tif 000010
【図９】
2005289414.tif 000011
【図１０】
2005289414.tif 000012